【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
２次元に配置された複数のマイクロレンズそれぞれに対して複数の光電変換部を備え、入射光量に応じた画像信号を出力する撮像素子と、
焦点検出を行う焦点検出領域を指定する指定手段と、
前記指定手段により指定された前記焦点検出領域と、撮影条件とに基づいて、前記各マイクロレンズに対応する前記複数の光電変換部から、視差を有する一対の信号及び該複数の光電変換部の信号を加算した加算信号を得ることが可能な第１の読み出しを行う、前記撮像素子における副走査方向の読み出し範囲を決定する決定手段と、
前記決定手段により決定された前記読み出し範囲の光電変換部から、前記第１の読み出しにより信号を読み出し、前記読み出し範囲を除く光電変換部から、前記一対の信号を得ずに前記加算信号を得る第２の読み出しにより信号を読み出すように制御する制御手段と、
を有することを特徴とする撮像装置。
【請求項２】
前記指定手段により指定された焦点検出領域の副走査方向の大きさを、前記決定手段により決定された前記読み出し範囲と同じになるように変更し、該変更した後の焦点検出領域から得られた前記一対の信号に基づいて、位相差方式の焦点検出を行う焦点検出手段を更に有することを特徴とする請求項１に記載の撮像装置。
【請求項３】
前記決定手段は、前記指定された焦点検出領域の副走査方向の中央位置と、前記読み出し範囲の副走査方向の中央位置が一致するように、前記読み出し範囲を決定することを特徴とする請求項２に記載の撮像装置。
【請求項４】
前記決定手段は、前記撮影条件が、前記焦点検出手段による焦点検出の精度がより高くなり易い撮影条件である場合に、前記読み出し範囲として、第１の範囲を決定し、前記焦点検出の精度がより高くなり易い撮影条件と比較して、焦点検出の精度がより低くなり易い撮影条件である場合に、前記読み出し範囲として、前記第１の範囲よりも広い第２の範囲を決定することを特徴とする請求項２または３に記載の撮像装置。
【請求項５】
前記決定手段は、前記焦点検出の精度がより低くなり易い撮影条件として、前記撮像素子で用いられるゲイン値が第１の閾値より大きい場合、前記第２の範囲を決定することを特徴とする請求項４に記載の撮像装置。
【請求項６】
前記焦点検出手段は、前記一対の信号に基づいて、相関演算により像ずれ量を求め、該求めた像ずれ量を、換算係数を用いてデフォーカス量に変換し、
前記決定手段は、前記焦点検出の精度がより低くなり易い撮影条件として、前記換算係数が第２の閾値より大きい場合、前記第２の範囲を決定することを特徴とする請求項４または５に記載の撮像装置。
【請求項７】
前記決定手段は、前記焦点検出の精度がより低くなり易い撮影条件として、前回に行った前記第１の読み出しにより得られた一対の信号の信号レベルが第３の閾値より小さい場合に、前記第２の範囲を決定することを特徴とする請求項４乃至６のいずれか１項に記載の撮像装置。
【請求項８】
前記決定手段は、前記焦点検出の精度がより低くなり易い撮影条件として、前回に行った前記第１の読み出しにより得られた一対の信号の信号レベルのうち、最大値と最小値との差が第４の閾値より小さい場合に、前記第２の範囲を決定することを特徴とする請求項４乃至７のいずれか１項に記載の撮像装置。
【請求項９】
前記焦点検出手段は、前記焦点検出の信頼性情報を算出し、
前記決定手段は、前記焦点検出の精度がより低くなり易い撮影条件として、前回の焦点検出で得られた前記信頼性情報が示す信頼性が第５の閾値より低い場合に、前記第２の範囲を決定することを特徴とする請求項４乃至８のいずれか１項に記載の撮像装置。
【請求項１０】
前記加算信号により表される画像において、被写体を検出する検出手段を更に有し、
前記決定手段は、前記検出手段により被写体が検出されている場合に、前記読み出し範囲として、前記第２の範囲を決定することを特徴とする請求項２乃至７のいずれか１項に記載の撮像装置。
【請求項１１】
前記焦点検出領域に対応する前記一対の信号に基づいて、位相差方式の焦点検出を行う焦点検出手段を更に有し、
前記指定手段により、複数の前記焦点検出領域が指定された場合に、前記決定手段は、前記指定手段により指定された前記複数の焦点検出領域それぞれに対応する前記一対の信号が得られるように、前記第１の読み出しを行う前記読み出し範囲を決定することを特徴とする請求項１に記載の撮像装置。
【請求項１２】
２次元に配置された複数のマイクロレンズそれぞれに対して複数の光電変換部を備え、入射光量に応じた画像信号を出力する撮像素子を有する撮像装置の制御方法であって、
指定手段が、焦点検出を行う焦点検出領域を指定する指定工程と、
決定手段が、前記指定工程で指定された前記焦点検出領域と、撮影条件とに基づいて、前記各マイクロレンズに対応する前記複数の光電変換部から、視差を有する一対の信号及び該複数の光電変換部の信号を加算した加算信号を得ることが可能な第１の読み出しを行う、前記撮像素子における副走査方向の読み出し範囲を決定する決定工程と、
制御手段が、前記決定工程で決定された前記読み出し範囲の光電変換部から、前記第１の読み出しにより信号を読み出し、前記読み出し範囲を除く光電変換部から、前記一対の信号を得ずに前記加算信号を得る第２の読み出しにより信号を読み出すように制御する制御工程と、
を有することを特徴とする制御方法。
【請求項１３】
焦点検出手段が、前記指定工程で指定された焦点検出領域の副走査方向の大きさを、前記決定工程で決定された前記読み出し範囲と同じになるように変更し、該変更した後の焦点検出領域から得られた前記一対の信号に基づいて、位相差方式の焦点検出を行う焦点検出工程を更に有することを特徴とする請求項１２に記載の制御方法。
【請求項１４】
前記決定工程では、前記撮影条件が、前記焦点検出工程における焦点検出の精度がより高くなり易い撮影条件である場合に、前記読み出し範囲として、第１の範囲を決定し、前記焦点検出の精度がより高くなり易い撮影条件と比較して、焦点検出の精度がより低くなり易い撮影条件である場合に、前記読み出し範囲として、前記第１の範囲よりも広い第２の範囲を決定することを特徴とする請求項１３に記載の制御方法。
【請求項１５】
検出手段が、前記加算信号により表される画像から、被写体を検出する検出工程を更に有し、
前記決定工程では、前記検出工程で被写体が検出されている場合に、前記読み出し範囲として、前記第２の範囲を決定することを特徴とする請求項１３または１４に記載の制御方法。
【請求項１６】
焦点検出手段が、前記焦点検出領域に対応する前記一対の信号に基づいて、位相差方式の焦点検出を行う焦点検出工程を更に有し、
前記指定工程において、複数の前記焦点検出領域が指定された場合に、前記決定工程では、前記指定工程で指定された前記複数の焦点検出領域それぞれに対応する前記一対の信号が得られるように、前記第１の読み出しを行う前記読み出し範囲を決定することを特徴とする請求項１２に記載の制御方法。
【手続補正２】
【補正対象書類名】明細書
【補正対象項目名】０００９
【補正方法】変更
【補正の内容】
【０００９】
上記目的を達成するために、本発明の撮像装置は、２次元に配置された複数のマイクロレンズそれぞれに対して複数の光電変換部を備え、入射光量に応じた画像信号を出力する撮像素子と、焦点検出を行う焦点検出領域を指定する指定手段と、前記指定手段により指定された前記焦点検出領域と、撮影条件とに基づいて、前記各マイクロレンズに対応する前記複数の光電変換部から、視差を有する一対の信号及び該複数の光電変換部の信号を加算した加算信号を得ることが可能な第１の読み出しを行う、前記撮像素子における副走査方向の読み出し範囲を決定する決定手段と、前記決定手段により決定された前記読み出し範囲の光電変換部から、前記第１の読み出しにより信号を読み出し、前記読み出し範囲を除く光電変換部から、前記一対の信号を得ずに前記加算信号を得る第２の読み出しにより信号を読み出すように制御する制御手段と、を有する。